(57)【要約】【課題】貯留槽の周壁に取り付けられる逆止弁の取付け上の工夫により、簡素な構成の逆止弁により確実な閉止を実現し、貯留槽への生ゴミの搬出入時における箱鳴りの発生を防止すると共に、貯留槽からの臭気の漏れ出しを確実に防止する。【解決手段】水と共に投入される生ゴミを破砕する破砕室22と、この破砕室22に搬送管25を介して連通された貯留槽３とを備え、破砕室22から搬送管25を経て水と共に送り込まれる破砕ゴミを貯留槽３に一旦貯留するディスポーザ装置において、破砕室22を内包する破砕槽２と貯留槽３との間の隔壁に、上部を枢軸として揺動する弁体53，63を備える逆止弁５、６を、弁体53，63が着座する座面が向く側を上として傾斜するように取り付ける。【選択図】図１
2007209902.tif 000002
【特許請求の範囲】
【請求項１】
水と共に投入される生ゴミを破砕する破砕室と、該破砕室から前記水と共に搬入される破砕ゴミを一旦貯留し、外部に搬出する貯留槽とを備え、該貯留槽の周壁に内外間の圧力差を平衡する逆止弁を取付けてあるディスポーザ装置において、
前記逆止弁は、前記貯留槽の内外を連通する管状ハウジングの内部に、上部を枢軸として揺動し、管軸と直交する座面に着座する弁体を備えており、前記管状ハウジングの管軸を、前記座面が向く側の端部が上となるように、水平線に対して傾斜させて取付けてあることを特徴とするディスポーザ装置。
【請求項２】
前記逆止弁は、前記破砕室を内包する破砕槽と前記貯留槽との間の隔壁に取付けてある請求項１記載のディスポーザ装置。
【請求項３】
前記貯留槽の外側に面する前記管状ハウジングの開口部を覆う防虫ネットを備える請求項１又は請求項２記載のディスポーザ装置。
【発明の詳細な説明】
【技術分野】
【０００１】
本発明は、水と共に投入される生ゴミを破砕し、例えば、有機物を分解処理する処理槽に送り出すように構成されたディスポーザ装置に関する。
【背景技術】
【０００２】
近年、一般家庭、飲食店等の厨房に発生する生ゴミの処理を目的とした生ゴミ処理機が種々提案されている。この種の生ゴミ処理機の一つとして、適量の処理水を貯留する処理の内部に生ゴミを導入し、前記処理水中に生息する微生物（食品発酵菌、酵母菌等）の活動により分解処理するように構成されたウェット式の生ゴミ処理機がある（例えば、特許文献１、２参照）。この種の生ゴミ処理機においては、生ゴミを前処理するためのディスポーザ装置を付設し、このディスポーザ装置により生ゴミを破砕して前記処理槽に導入することにより高い処理能力を得ることができ、例えば、学校、会社の食堂、大規模飲食店等、処理要求量が多い業務用として有用である。
【０００３】
ディスポーザ装置は、破砕室に投入される生ゴミを、この破砕室の底部にて回転する破砕刃の作用により破砕し、同時に投入される水と混合して送り出す公知の装置である。特許文献２に開示された生ゴミ処理機においては、前記破砕室の一側に搬送管を介して連設された貯留槽を備え、破砕室にて破砕された破砕ゴミを、前記搬送管を経て水と共に貯留槽に導入して貯留しておき、該貯留槽の内部に設けた送出ポンプの間欠的な動作により昇圧して搬出し、離れた位置に設けられた処理槽の内部に確実に送り込むようにしている。      
【特許文献１】特開２００２−３３６８３０号公報
【特許文献２】特開２０００−３５４８９８号公報
【発明の開示】
【発明が解決しようとする課題】
【０００４】
このように構成されたディスポーザ装置において、破砕室に連設された貯留槽は、貯留された破砕ゴミからの発生臭気が外部に漏れ出すことを防止するために密閉構造とするのが望ましい一方、完全な密閉構造とした場合、破砕ゴミの搬出入時の内水位の変化に伴って貯留槽の内部に正圧又は負圧が発生し、内外間の圧力差により箱鳴り等の不具合が生じる虞れがある。
【０００５】
この不具合は、貯留槽の周壁に内外を連通するように、互いに逆向きの流れを遮断する２つの逆止弁を取付け、これらの逆止弁が正圧又は負圧の発生時に各別に開放して内外間の圧力差を平衡させる構成とすることにより解消されるが、このように用いられる逆止弁は、内部臭気の漏れ出しを防ぐという観点から、破砕ゴミの搬出入がなされず、貯留槽の内外間に圧力差が生じない待機状態において確実な閉止がなされることが切望される。
【０００６】
本発明は斯かる事情に鑑みてなされたものであり、簡素な構成の逆止弁の取付け上の工夫により、貯留槽の内外に圧力差が生じていない状態においても確実な閉止を実現し、搬出入時における箱鳴りの発生を防止すると共に、貯留槽からの臭気の漏れ出しを効果的に防止することができるディスポーザ装置を提供することを目的とする。
【０００７】
また本発明の他の目的は、逆止弁を経て生じる貯留槽の内部臭気の漏れ出し位置を限定し、周辺への漏れ出しを抑えることができるディスポーザ装置を提供することにある。
【０００８】
更に本発明の他の目的は、逆止弁を経て貯留槽の内部に虫が進入することを内外間の通気を阻害することなく防止して、長期に亘って確実な閉止状態を維持し、臭気の漏れ出しを防止し得るディスポーザ装置を提供することにある。
【課題を解決するための手段】
【０００９】
本発明に係るディスポーザ装置は、水と共に投入される生ゴミを破砕する破砕室と、該破砕室から前記水と共に搬入される破砕ゴミを一旦貯留し、外部に搬出する貯留槽とを備え、該貯留槽の周壁に内外間の圧力差を平衡する逆止弁を取付けてあるディスポーザ装置において、前記逆止弁は、前記貯留槽の内外を連通する管状ハウジングの内部に、上部を枢軸として揺動し、管軸と直交する座面に着座する弁体を備えており、前記管状ハウジングの管軸を、前記座面が向く側の端部が上となるように、水平線に対して傾斜させて取付けてあることを特徴とする。
【００１０】
本発明においては、貯留槽の周壁に内外間の圧力差を平衡すべく取付けられる逆止弁として、管状ハウジングの内部に上部を枢軸として揺動する弁体を備える簡素な構成の逆止弁を用い、この逆止弁を、前記弁体が着座する座面が向く側の端部が上となるように、管状ハウジングの管軸を水平線に対して傾斜させて取付け、この取付けにより鉛直面に対して傾斜する座面に前記弁体を密に着座させ、貯留槽の内外に圧力差が生じていない状態において確実な閉止状態を実現し、貯留槽からの臭気の漏れ出しを確実に防止する。
【００１１】
また本発明に係るディスポーザ装置は、前記逆止弁が、前記破砕室を内包する破砕槽と前記貯留槽との間の隔壁に取付けてあることを特徴とする。
【００１２】
この発明においては、貯留槽と破砕槽との間の隔壁に逆止弁を取付け、閉止状態にある逆止弁からわずかに漏れ出す臭気を破砕槽の内部に止め、周辺への漏れ出しを一層確実に防止する。
【００１３】
更に本発明に係るディスポーザ装置は、前記貯留槽の外側に面する前記管状ハウジングの開口部を覆う防虫ネットを備えることを特徴とする。
【００１４】
この発明においては、貯留槽の周壁に取付けた逆止弁の管状ハウジングの両端の開口のうち、外側に面する開口を防虫ネットにより覆い、内外間の通気を阻害することなく外部からの虫の進入を防止する。
【発明の効果】
【００１５】
本発明に係るディスポーザ装置においては、簡素な構成の逆止弁の取付け上の工夫により、正圧及び負圧の発生時における貯留槽の内外間の通気を確保しながら、通常時における確実な閉止状態を実現することができ、破砕ゴミの搬出入時における貯留槽の箱鳴りを防止すると共に、貯留槽からの臭気の漏れ出しを効果的に防止することができ、臭気に煩わされることなく室内設置が可能となって、簡素な構成により良好な使い勝手を実現することが可能となる。
【００１６】
また本発明に係るディスポーザ装置においては、逆止弁から漏れ出す臭気を破砕槽の内部に止めることができ、周辺への臭気の漏れ出しをより確実に防止することができる。
【００１７】
更に本発明に係るディスポーザ装置においては、貯留槽の外側に面する逆止弁の開口を防虫ネットにより覆ったから、貯留槽の内部への虫の進入を阻止することができ、弁体が着座する座面に付着する虫により閉止状態が阻害されることを防止して、貯留槽からの臭気の漏れ出しを長期に亘って良好に防止することができる等、本発明は優れた効果を奏する。
【発明を実施するための最良の形態】
【００１８】
以下本発明をその実施の形態を示す図面に基づいて詳述する。図１は、本発明に係るディスポーザ装置の縦断面図であり、矩形箱形をなす外筐１の内部を、隔壁10により縦割りして形成された破砕槽２と貯留槽３とを備えている。
【００１９】
破砕槽２は、上部の略全面に亘って開口する生ゴミの投入口20を備えており、この投入口20には、下部中央に向けて縮径する投入シュート21が連設されている。破砕槽２の内部には、有底筒形の中空室として構成された破砕室22が、底部に取付けた破砕モータ23を支持脚とし、開口を上向きとして固定支持されており、該破砕室22の上部開口には、前記投入シュート21の下端部が嵌着されている。
【００２０】
前記破砕モータ23のモータ軸は、破砕室22の底部中央に突設されており、このモータ軸には、上面に刃を備える破砕刃24が、破砕モータ23からの伝動により水平面内での回転可能に取付けてある。また破砕室22の底部には、外周の接線方向に搬送管25が連設されており、この搬送管25は、前記隔壁10を貫通して貯留槽３の内部に適長延出させてある。
【００２１】
貯留槽３は、矩形の筐体であり、該貯留槽３の底板の略中央には、水中ポンプを用いてなる送出ポンプ30が、下面に開口する吸込口を前記底板から適長離して固定されている。この送出ポンプ30の吐出管31は、上方に延長され、貯留槽３の側壁を貫通して外部に突設されており、逆流防止用の逆止弁32を介して送出管33に連結されている。
【００２２】
このような貯留槽３の内部への前記搬送管25の延出端には、上部の支軸40を枢軸として揺動可能に弁板４が取付けてある。図示の如く弁板４は、通常時には、斜めに切り落とされた搬送管25の端部開口に、図示の如く自重により着座して該開口を閉止し、搬送管25の内部からの力の作用により支軸40を枢軸として上方に揺動して、搬送管25の端部開口を開放する開閉弁としての作用をなす。
【００２３】
更に、破砕槽２と貯留槽３との間の隔壁10には、搬送管25の貫通部よりも上位置に、２つの逆止弁５，６が上下に並べて取付けてある。図２は、逆止弁５，６の取付け位置近傍の拡大図である。
【００２４】
逆止弁５，６は，前記隔壁10の該当位置を貫通するように固定され、破砕槽２と貯留槽３とを連通する円管状のハウジング50，60を備えている。該ハウジング50，60は、夫々の中途部を大径としてなる弁室51，61を有しており、これらの弁室51，61の内部に臨ませてハウジング50，60の管軸と略直交する座面52，62が設けられ、夫々の座面52，62の内側には、平板状をなす弁体53，63が上部を枢軸として揺動自在に支持されている。
【００２５】
以上の如く同一の構成を有する逆止弁５，６は、互いに逆向きとし、更に、夫々の管軸を逆に傾斜させて取付けられている。図示の構成においては、下に位置する逆止弁５は、弁室51内部の座面52を破砕槽２の側に向け、破砕槽２の側の端部が上となるように管軸を傾斜させて取付けてあり、上に位置する逆止弁６は、逆に、弁室61内部の座面62を貯留槽３の側に向け、貯留槽３の側の端部が上となるように管軸を傾斜させて取付けてある。
【００２６】
ハウジング50，60の両端の開口には、通気穴を有するカバーキャップ54，64が夫々取付けられている。破砕槽２の側のカバーキャップ54，64には、夫々の通気穴を覆うように、細かい目を有する虫よけネット55，65が被着されている。また貯留槽３の側のカバーキャップ54，64は、逆止弁５，６を隔壁10に固定するための挾持片を兼ねている。
【００２７】
このような取付けがなされた逆止弁５，６において、夫々の弁体53，63は、何らの外力も加わらない通常時には、上部の枢軸から自重により垂下した図示の閉止位置にあり、弁室51，61の内側から各別の座面52，62の全面に着座してハウジング50，60の中途部を閉止する作用をなす。ここで座面52，62は、前述した逆止弁５，６の取付けにより、夫々の下部を弁室51，61内に突出させる向きに鉛直面に対して傾斜する傾斜面となっているから、閉止位置にある弁体53，63は、鉛直下向きに加わる自重の作用により、夫々の座面52，62に押し付けられて密に着座することとなり、何らの外力が加わらない状態において確実な閉止が実現される。
【００２８】
図３及び図４は、逆止弁５，６の動作説明図である。逆止弁５，６の弁体53，63は、上部を枢軸として揺動可能であり、これらは、夫々の座面52，62の側から力が加えられた場合、上向きに揺動して座面52，62から離反する。ここで、下位置にある逆止弁５は、破砕槽２の側に座面52を向けて取付けられているから、この座面52に着座する弁体53は、貯留槽３から破砕槽２に向かう力の作用により座面52から離反し、逆止弁５は、内部の通気が可能な開放状態となる。図３は、この状態を示しており、同向きの力は上位置にある逆止弁６の弁体63にも加わるが、このとき弁体63は、座面62に押し付けられるのみであり、逆止弁６は閉止状態を保つ。この状態は、貯留槽３の内部が正圧となり、破砕槽２の内圧よりも高くなった場合に出現する。
【００２９】
図４は、破砕槽２から貯留層２に向かう力が作用している状態が示されている。この場合、上位置にある逆止弁６の弁体63が座面62から離反して開放状態となり、下位置にある逆止弁５の弁体53は、座面52に押し付けられて閉止状態を保つ。この状態は、貯留槽３の内部が負圧となり、破砕槽２の内圧よりも低くなった場合に出現する。なお図１においては、弁体53，63の存在を明示するために、２つの逆止弁５，６を共に開放状態としてあるが、このように２つの逆止弁５，６が同時に開放される状態は出現しない。
【００３０】
吐出管31と送出管33との間に介装された逆止弁32も、以上の如き逆止弁５，６と同様の構成を有しており、この逆止弁32は、吐出管31から送出管33に向かう流れの作用により開放され、この流れを許容する一方、送出管33から吐出管31に向かう流れの作用により閉止され、この流れ、即ち、貯留槽３への逆流を防止する作用をなす。
【００３１】
以上の如く構成されたディスポーザ装置は、例えば、図示しない運転スイッチのオン操作により破砕モータ23を回転駆動し、該破砕モータ23からの伝動により破砕室22の内部にて破砕刃24を回転せしめておき、この状態で破砕槽２の上部に開設された投入口20に、処理対象となる生ゴミを投入して使用される。またこのとき投入口20には、生ゴミの投入と同時に、例えば、図１中に略示する水道の蛇口７から適量の水が給水される。
【００３２】
投入口20に投入された生ゴミは、該投入口20に連設された投入シュート21の傾斜に沿って案内され、前記水と共に破砕室22内に落下して回転する破砕刃24に当たり、該破砕刃24の作用により細かく破砕されて、破砕刃24の回転に伴う遠心力の作用により外周に飛ばされ、前記水と混合されて搬送管25の内部を流れて貯留槽３に向けて搬送される。このように水と共に搬送される破砕ゴミは、貯留槽３の内部への搬送管25の延出端に達し、この延出端に前述の如く取り付けられた弁板４を内側から押し上げ、搬送管25の端部開口から貯留槽３の内部に搬入され、該貯留槽３の内部に貯留される。
【００３３】
弁板４は、破砕ゴミの搬送がなされない通常時には、前述の如く、斜めに切り落とされた搬送管25の端部開口に密に着座して該開口を確実に閉止する。従って、貯留槽３の内部に貯留された破砕ゴミが発生する臭気が、搬送管25を経て破砕室22に漏れ出し、更に投入口20に連設された投入シュート21の上部開口から周辺に漏れ出す虞れを回避することができ、臭気の漏れ出しによる周辺環境の悪化を招来することがない。
【００３４】
貯留槽３の内部に貯留された破砕ゴミは、水と共に送出ポンプ30に吸込まれて昇圧され、吐出管31及び逆止弁32を経て送出管33に搬入され、該送出管33を経て図示しない処理槽に送り込まれて分解処理される。送出ポンプ30は、例えば、貯留槽３の内水位が所定レベルになったとき所定時間駆動され、貯留ゴミを送り出すように構成されている。
【００３５】
このように送出ポンプ30が駆動された場合、貯留槽３の内部には、内水位の低下に伴う負圧が発生する。また搬送管25から破砕ゴミが搬入された場合、貯留槽３の内部には、内水位の上昇に伴う正圧が発生する。本発明に係るディスポーザ装置は、前述の如く構成された逆止弁５，６を備えており、貯留槽３の内部に負圧が発生した場合、上部の逆止弁６が開放動作し、同じく正圧が発生した場合、下部の逆止弁５が開放動作する。
【００３６】
この開放動作により、貯留槽３と破砕槽２との間での通気が可能となり、正圧の発生時には、下部の逆止弁５を経て貯留槽３から貯留槽２に向かう通気が発生し、また負圧の発生時には、上部の逆止弁６を経て破砕槽２から貯留槽３に向かう通気が発生し、貯留槽３の内外の圧力差が解消される。従って、貯留槽３への破砕ゴミの搬入が、これに伴って発生する正圧の作用により阻害される虞れがなく、また破砕槽３からの破砕ゴミの送り出しが、これに伴って発生する負圧の作用により阻害される虞れもない。
【００３７】
逆止弁５，６は、以上の如き破砕ゴミの搬出入がなされない通常時には、何らの外力も加わらない弁体53，63が夫々の座面52、62に着座する閉止状態となる。前述の如く逆止弁５，６は、座面52、62が向かう側を上とし管軸を傾斜させて取付けられており、閉止状態にある弁体53，63は、夫々の下部を弁室51，61内に突き出すように傾斜する座面52、62に密に着座し、確実な閉止状態が実現されるから、通常時における貯留槽３の内外間の通気を確実に遮断することができ、貯留槽３の内部に貯留された破砕ゴミが発生する臭気が逆止弁５，６を経て外部に漏れ出す虞れを軽微に抑え、周辺環境の悪化を有効に防止することが可能となる。
【００３８】
また逆止弁５，６は、破砕槽２との間の隔壁10に取付けてあるから、臭気の漏れ出しがわずかに生じたとしても破砕槽２の内部に止まり、外部への漏れ出しを防止することができる。更に、破砕槽２に外部と連通する通気穴を設け、この通気穴に着脱自在に防臭剤を取り付ける構成とすることにより、周辺への臭気の漏れ出しを完全に防止することも可能となる。
【００３９】
また逆止弁５，６の破砕槽２の側の開口部は、虫よけネット55，65により覆われているから、これらの逆止弁５，６を経て貯留槽３の内部に虫が進入することを防止することができ、貯留槽３の内部を清潔に保つと共に、進入する虫が座面52、62に付着して弁体53，63の密着が阻害される虞れを未然に回避することができ、臭気の漏れ出し防止効果を長期に亘って良好に維持することが可能となる。
【図面の簡単な説明】
【００４０】
【図１】本発明に係るディスポーザ装置の縦断面図である。
【図２】逆止弁の取付け位置近傍の拡大図である。
【図３】逆止弁の動作説明図である。
【図４】逆止弁の動作説明図である。
【符号の説明】
【００４１】
２    破砕槽
３    貯留槽
５，６    逆止弁
10    隔壁
22    破砕室
24    破砕刃
25    搬送管
50，60    ハウジング                                                            52, 62    座面
53，63    弁体
55，65    防虫ネット
【図１】
2007209902.tif 000003
【図２】
2007209902.tif 000004
【図３】
2007209902.tif 000005
【図４】
2007209902.tif 000006